(57)【特許請求の範囲】
【請求項１】
ゴルフクラブヘッドの表面に銘板取り付け用の凹部が設けられ、
銘板の背面または前記凹部の底壁の一方に、前記銘板よりも小さい輪郭で前記銘板の周囲に沿って枠状に連続状に膨出する膨出部が設けられ、
前記膨出部の先端が前記底壁または前記銘板の背面に当て付けられた状態で、前記膨出部の内側で前記底壁と前記背面との間に前記膨出部に沿って隙間が延在形成され、接着剤が前記隙間に位置することにより前記背面と前記底壁とを接着し、
前記膨出部は、前記銘板の背面または前記底壁の一方に取着された両面粘着テープで構成され、前記膨出部の先端が前記銘板の背面または前記底壁の他方に取着されている、
ことを特徴とするゴルフクラブヘッド。
【請求項２】
前記ゴルフラブヘッドは中空であり、
前記底壁に、前記ゴルフクラブヘッドの内部に貫通する貫通孔が形成され、
前記接着剤は前記貫通孔の内部にも位置している、
ことを特徴とする請求項１記載のゴルフクラブヘッド。
【発明の詳細な説明】
【技術分野】
【０００１】
本発明は、銘板が取り付けられたゴルフクラブヘッドに関する。
【背景技術】
【０００２】
銘板が取り付けられたゴルフクラブヘッドは既に提供され、銘板によりゴルフクラブの高級感を高めるようにしている。
この種のゴルフクラブでは、銘板を接着剤を用いてゴルフクラブヘッドに取り付けるようにしている。
【先行技術文献】
【特許文献】
【０００３】
【特許文献１】特開２００８−１２５８１１
【発明の概要】
【発明が解決しようとする課題】
【０００４】
しかしながら、接着剤が銘板の外側にはみ出ると、ゴルフクラブの高級感を損ね、商品価値を低下する不具合が生じる。
本発明は前記事情に鑑み案出されたものであって、本発明の目的は、接着剤を銘板の外側にはみ出させることなく、接着剤により取着された銘板により、ゴルフクラブの高級感を高め、商品価値を高める上で有利なゴルフクラブヘッドを提供することにある。
【課題を解決するための手段】
【０００５】
前記目的を達成するため本発明は、ゴルフクラブヘッドの表面に銘板取り付け用の凹部が設けられ、銘板の背面または前記凹部の底壁の一方に、前記銘板よりも小さい輪郭で前記銘板の周囲に沿って枠状に連続状に膨出する膨出部が設けられ、前記膨出部の先端が前記底壁または前記銘板の背面に当て付けられた状態で、前記膨出部の内側で前記底壁と前記背面との間に前記膨出部に沿って隙間が枠状に延在形成され、接着剤が前記隙間に位置することにより前記背面と前記底壁とを接着し、前記膨出部は、前記銘板の背面または前記底壁の一方に取着された両面粘着テープで構成され、前記膨出部の先端が前記銘板の背面または前記底壁の他方に取着されていることを特徴とする。
【発明の効果】
【０００６】
本発明では、膨出部により銘板の外側への接着剤のはみ出しが防止され、接着剤により取着された銘板により、ゴルフクラブの高級感を高め、商品価値を高める上で有利となる。
【図面の簡単な説明】
【０００７】
【図１】ドライバーのゴルフクラブヘッドをソール部側から見た図である。
【図２】（Ａ）は第１の実施の形態の銘板の平面図、（Ｂ）は同底面図である。
【図３】ゴルフクラブヘッドのソール部に設けられた凹部部分の断面図である。
【図４】（Ａ）は背面に接着剤を塗布した状態の銘板の断面正面図、（Ｂ）は背面に接着剤を塗布した状態の銘板の底面図である。
【図５】銘板の接着状態を示す凹部部分の断面図である。
【図６】（Ａ）は第２の実施の形態の銘板の平面図、（Ｂ）は同底面図である。
【図７】（Ａ）は背面に接着剤を塗布した状態の銘板の断面正面図、（Ｂ）は背面に接着剤を塗布した状態の銘板の底面図である。
【図８】銘板の接着状態を示す凹部部分の断面図である。
【図９】第３の実施の形態の銘板の接着状態を示す凹部部分の断面図である。
【発明を実施するための形態】
【０００８】
以下、本発明をドライバー（１番ウッド）に適用した第１の実施の形態について図１〜図５を参照して説明する。
ドライバーは、シャフトと、シャフトの先端に取着されたゴルフクラブヘッド１２とで構成されている。
【０００９】
ゴルフクラブヘッド１２は中空状で、フェイス部１２Ａと、クラウン部（不図示）と、ネック部１２Ｂと、ソール部１２Ｃとを備えており、銘板１６がソール部１２Ｃに取着されている。
ソール部１２Ｃには、図３に示すように、銘板１６よりも大きい輪郭の銘板取り付け用の凹部１８が形成され、凹部１８の底壁１８０２の中央に、ゴルフクラブヘッド１２の内部に貫通する貫通孔１８０４が形成されている。
【００１０】
図２に示すように、銘板１６は本実施の形態では楕円状を呈し、銘板１６の表面１６Ａには、ＡＢＣの文字で示すように、商品名やロゴマークなどが付されている。
また、銘板１６の背面１６Ｂには、銘板１６よりも小さい輪郭で銘板１６の周囲に沿って枠状に連続状に膨出する膨出部２０が銘板１６に一体に設けられている。
銘板１６は金属製または合成樹脂製である。
【００１１】
そして図５に示すように、膨出部２０の先端が底壁１８０２に当て付けられた状態で、接着剤２２が膨出部２０の内側で背面１６Ｂと底壁１８０２との間に位置してそれら背面１６Ｂと底壁１８０２とを接着している。本実施の形態では、接着剤２２は貫通孔１８０４の内部にも侵入しており、接着強度を高めている。
接着剤２２には、ホットメルトなどを含む従来公知の様々なものが使用可能である。
【００１２】
より詳細に説明すると、図４に示すように、銘板１６をゴルフクラブヘッド１２に取着するに際して、まず、銘板１６の背面１６Ｂで膨出部２０の内側に接着剤２２を塗布する。
次に、図５に示すように、銘板１６を凹部１８に挿入し、膨出部２０の先端を底壁１８０２に当て付ける。これにより、接着剤２２が膨出部２０の内側で背面１６Ｂと底壁１８０２との間に位置し、また、貫通孔１８０４の内部にも侵入する。そして、凹部１８内において銘板１６を動かし、銘板１６の位置決めを行なう。
次に、銘板１６が下側に、凹部１８が上側に位置するように反転させ、この状態で接着剤２２を硬化させる。
接着剤２２の硬化により、銘板１６がゴルフクラブヘッド１２に取着される。
【００１３】
第１の実施の形態によれば、膨出部２０により銘板１６の外側への接着剤２２のはみ出しが防止される。
したがって、接着剤２２が銘板１６の外側にはみ出ることはなく、銘板１６によりゴルフクラブに高級感を与え、ゴルフクラブの商品価値を高める上で有利となる。
【００１４】
次に、第２の実施の形態について、図６〜図８を参照して説明する。
第１の実施の形態と同様な箇所、部材に同一の符号を付して説明すると、第２の実施の形態では、図６、図７に示すように、膨出部２０を両面粘着テープ２４で構成した点が第１の実施の形態と異なっている。
すなわち、銘板１６の背面１６Ｂには、銘板１６よりも小さい輪郭で銘板１６の周囲に沿って枠状に連続状に膨出する膨出部２０が設けられ、この膨出部２０は、両面粘着テープ２４の一方の粘着面を銘板１６の背面１６Ｂに粘着することで構成されている。
【００１５】
そして、図８に示すように、膨出部２０の先端である両面粘着テープ２４の他方の粘着面が底壁１８０２に粘着された状態で、接着剤２２が膨出部２０の内側で背面１６Ｂと底壁１８０２との間に位置してそれら背面１６Ｂと底壁１８０２とを接着している。本実施の形態でも、接着剤２２は貫通孔１８０４の内部にも侵入しており、接着強度を高めている。
【００１６】
より詳細に説明すると、図６に示すように、銘板１６をゴルフクラブヘッド１２に取着するに際して、まず、銘板１６の背面１６Ｂに、両面粘着テープ２４を粘着して膨出部２０を作る。
次に、図７に示すように、銘板１６の背面１６Ｂで膨出部２０の内側に接着剤２２を塗布する。
次に、図８に示すように、銘板１６を凹部１８に挿入し、膨出部２０の先端である両面粘着テープ２４の他方の粘着面を底壁１８０２に当て付け、粘着させる。これにより、接着剤２２が膨出部２０の内側で背面１６Ｂと底壁１８０２との間に位置し、また、貫通孔１８０４の内部にも侵入する。
次に、銘板１６が下側に、凹部１８が上側に位置するように反転させ、この状態で接着剤２２を硬化させる。
接着剤２２の硬化により、銘板１６がゴルフクラブヘッド１２に取着される。
【００１７】
第２の実施の形態によれば、第１の実施の形態と同様に、膨出部２０により銘板１６の外側への接着剤２２のはみ出しが防止される。
したがって、接着剤２２が銘板１６の外側にはみ出ることはなく、ゴルフクラブに高級感を与え、ゴルフクラブの商品価値を高める上で有利となる。
【００１８】
なお、第１、第２の実施の形態では、膨出部２０を銘板１６の背面１６Ｂに設けた場合について説明したが、膨出部２０は底壁１８０２に設けてもよい。
また、凹部１８の底壁１８０２に貫通孔１８０４が設けられている場合について説明したが、貫通孔１８０４が設けられていないゴルフクラブヘッド１２にも本発明は無論適用可能である。
また、図９に示すように、ゴルフクラブヘッド１２の内部に位置する底壁１８０２の内面に、貫通孔１８０４よりも大きい面積の頭部２２０２を接着剤２２で形成するようにしても良く、このような頭部２２０２を形成すると接着強度を高める上でより有利となる。
【符号の説明】
【００１９】
１０……ドライバー
１２……ゴルフクラブヘッド
１２Ｃ……ソール部
１６……銘板
１８……凹部
１８０２……底壁
１８０４……貫通孔
２０……膨出部
２４……両面粘着テープ
【図１】
0005458897.tif 000002
【図２】
0005458897.tif 000003
【図３】
0005458897.tif 000004
【図４】
0005458897.tif 000005
【図５】
0005458897.tif 000006
【図６】
0005458897.tif 000007
【図７】
0005458897.tif 000008
【図８】
0005458897.tif 000009
【図９】
0005458897.tif 000010